(57)【要約】【課題】外力が加わった場合でも容易に回転することがなく、それにより商品掛け具による事故等を有効に防止可能な商品掛け具用プロテクターの提供。【解決手段】商品掛け具に取り付けられるプロテクターであって、先端部を下方に変形させた本体部（４）と、本体部（４）の基端側に形成した、本体部（４）を商品掛け具に取り付けるための取付部（５）とを有するプロテクター本体（２）と、取付部（５）に装着される滑り止め具（３）と、を具備し、取付部（５）は、支持棒（３４）が嵌入可能な嵌入凹部（５０１）と該嵌入凹部（５０１）の底部に形成した取付孔（５０３）を有し、滑り止め具（３）は、支持棒の下側部分を支持する支持片（３０１）と、該支持片（３０１）の下側に突設した、前記取付孔（５０３）に嵌入可能な嵌入突起（３０３）を有し、プロテクター本体（２）と滑り止め具（３）とを異なった素材により形成したことを特徴とする。【選択図】図１
0003111447.tif 000002
【実用新案登録請求の範囲】
【請求項１】
商品を吊るすための掛け棒と商品表示のための表示板を支持する支持棒とを有する商品掛け具に取り付けることで前記掛け棒の先端部をカバー可能とした商品掛け具用プロテクターであって、
先端部を下方に変形させることにより当該先端部によって商品掛け具の先端をカバー可能とした本体部（４）と、該本体部（４）の基端側に形成した、前記本体部（４）を商品掛け具に取り付けるための取付部（５）と、を有するプロテクター本体（２）と、
前記取付部（５）に装着される滑り止め具（３）と、を具備し、
前記取付部（５）は、支持棒（３４）が嵌入可能な嵌入凹部（５０１）と、該嵌入凹部（５０１）の底部に形成した取付孔（５０３）と、を有し、
前記滑り止め具（３）は、支持棒（３４）の下側部分を支持する支持片（３０１）と、該支持片（３０１）の下側に突設した、前記取付孔（５０３）に嵌入可能な嵌入突起（３０３）と、を有し、
前記プロテクター本体（２）と前記滑り止め具（３）とを異なった素材により形成したことを特徴とする商品掛け具用プロテクター。
【請求項２】
前記支持片（３０１）は、支持棒の下側において支持棒の外径の１／３程度を支持可能としたことを特徴とした請求項１に記載の商品掛け具用プロテクター。
【請求項３】
前記プロテクター本体（２）をポリプロピレンにより形成するとともに、前記滑り止め具（３）を、エチレン−酢酸ビニル共重合体樹脂、塩ビのいずれかにより形成したことを特徴とする請求項１又は請求項２に記載の商品掛け具用プロテクター。
【請求項４】
先端部を下方に変形させることにより当該先端部によって商品掛け具の先端をカバー可能とした本体部（４）と、該本体部（４）の基端側に形成した、前記本体部（４）を商品掛け具の支持棒に取り付けるための取付部（５）と、を有する商品掛け具用プロテクターに用いられる滑り止め具（３）であって、商品掛け具における支持棒（３４）の下側部分を支持する支持片（３０１）と、該支持片（３０１）の下側に突設した、前記プロテクター（２）の基端部に形成した取付孔（５０３）に嵌入可能な嵌入突起（３０３）と、を有するとともに、前記プロテクター（２）とは異なった素材により形成したことを特徴とする、商品掛け具用プロテクターに用いる滑り止め具。
【考案の詳細な説明】
【技術分野】
【０００１】
本考案は、商品掛け具に装着されるプロテクターに係り、より詳しくは、外力が加えられた場合においても容易に回転することのない商品掛け具用プロテクターに関する。
【背景技術】
【０００２】
従来から、包装袋に収容された小物商品等の販売に際しては、商品掛け具を用いて、この商品掛け具に商品を吊るして展示することが一般的に行われている。
【０００３】
ここで、図５は、商品掛け具を説明するための斜視図であり、図において３１が商品掛け具である。
【０００４】
そして、この商品掛け具３１は、一般的に、商品陳列棚等に取り付けられる取付片３２を有しており、この取付片３２には、同一方向へ向けて、ほぼ平行にした２本の棒状物を上下２段にして取り付けている。そして、下段の棒状物を商品掛け棒３３としており、この商品掛け棒３３に商品３５を吊るし、一方、上段の棒状物を支持棒３４としており、この支持棒３４には、商品掛け棒３３に吊るした商品の商品名、価格等を表示した表示板３６を支持可能としている。
【０００５】
また、前記商品掛け棒３３は、その先端部分をわずかに上方に屈曲させるとともに、その長さを前記支持棒３４よりも長くし、屈曲させた先端部分の位置が前記支持棒３４の先端位置よりも前方になる構成としており、これにより、複数個の小物商品を同一箇所に陳列可能としている。
【０００６】
しかしながら、このように構成される商品掛け具３１では、図５にも示されるように、商品掛け棒３３の先端部が露出されてしまうために、特に子供等がこの先端部に衝突して怪我をしてしまうおそれが考えられる。
【０００７】
そのために、商品掛け具におけるこのような問題点を解決するものとして、プロテクターが提案されている。
【０００８】
即ち、図６がこのプロテクター４１であり、図において、このプロテクター４１は、平板状かつ長尺とした本体部４２を備えており、この本体部４２は、例えば樹脂等の柔軟な素材により形成している。
【０００９】
また、本体部４２の基端側には、本体部４２を支持棒３４に取り付けるための取付部４３を連設するとともに、取付部４３には、支持棒３４が嵌入可能な嵌入凹部４４が形成されており、嵌入凹部４４に支持棒３４を嵌入させる配置でプロテクター４１を支持棒３４に嵌め込むことによって、プロテクター４１を商品掛け具３１に取り付け可能としている。
【００１０】
更に、前記本体部４２の先端部は下方に湾曲させており、これにより、プロテクター４１を支持棒３４に取り付けた状態においては、本体部４２の先端部によって商品掛け棒３３の先端部をカバーし、商品掛け棒３３の先端部が露出することを防止可能としている。従って、このプロテクター４１を用いることにより、商品掛け棒３３の先端部によって子供等が怪我をすることを防止することができる。
【特許文献１】特開２００１−１６９８７６号公報
【考案の開示】
【考案が解決しようとする課題】
【００１１】
しかしながら、この従来のプロテクターでは、これを商品掛け具に取り付けた状態において、わずかな外力がプロテクターに加わったときには、プロテクターが回転してしまい、それにより商品掛け棒の先端が再び露出してしまうという問題点がある。
【００１２】
即ち、商品掛け具における支持棒及び商品掛け棒は一般的に金属により形成している一方、前述したように、従来のプロテクターは、金属に対して滑り易い樹脂により形成しているため、更に、商品掛け具は見栄えを良くするためにメッキ処理を施すことが一般的であり、これにより支持棒とプロテクターとの摩擦が少なくなってしまうために、従来のプロテクターでは、外力が加わると容易に回転してしまい、それにより商品掛け棒の先端をカバーできず、プロテクターとしての機能を果たさなくなってしまうという問題点が指摘されている。
【００１３】
そこで、本考案は、外力が加わった場合でも容易に回転することがなく、それにより商品掛け具による事故等を有効に防止可能とする商品掛け具用プロテクターを提供することを課題としている。
【課題を解決するための手段】
【００１４】
本考案の商品掛け具用プロテクターは、商品を吊るすための掛け棒と商品表示のための表示板を支持する支持棒とを有する商品掛け具に取り付けることで前記掛け棒の先端部をカバー可能とした商品掛け具用プロテクターであって、
先端部を下方に変形させることにより当該先端部によって商品掛け具の先端をカバー可能とした本体部と、該本体部の基端側に形成した、前記本体部を商品掛け具に取り付けるための取付部と、を有するプロテクター本体と、
前記取付部に装着される滑り止め具と、を具備し、
前記取付部は、支持棒が嵌入可能な嵌入凹部と、該嵌入凹部の底部に形成した取付孔と、を有し、
前記滑り止め具は、支持棒の下側部分を支持する支持片と、該支持片の下側に突設した、前記取付孔に嵌入可能な嵌入突起と、を有し、
前記プロテクター本体と前記滑り止め具とを異なった素材により形成したことを特徴としている。
【考案の効果】
【００１５】
本考案の商品掛け具用プロテクターでは、本体部と、この本体部を支持棒に取り付けるための取付部とにより構成されるプロテクター本体と、このプロテクター本体とは異なった素材により形成した滑り止め具を用いて、滑り止め具を取付部に装着し、滑り止め具を支持棒の下側部分に当接することとしており、これにより、プロテクターが容易に回転することを防止している。
【００１６】
即ち、本考案者の実験によると、取付部に形成した嵌入凹部内に単に支持棒を嵌入させた場合と異なり、取付部とは異なった素材で形成した滑り止め具を用いて、この滑り止め具を支持棒の一部に当接した場合には、支持棒に対する摩擦係数が異なる２種類の素材のそれぞれを支持棒に当接しているために、この摩擦係数の違いにより、プロテクターに外力が加わった場合でも容易に回転しないことが判明した。
【００１７】
従って、本考案によれば、プロテクターに外力が加わった場合でも、プロテクターが回転して商品掛け棒の先端部が露出することを有効に防止することが可能である。
【考案を実施するための最良の形態】
【００１８】
本考案の商品掛け具用プロテクターでは、プロテクター本体と、このプロテクター本体に装着される滑り止め具とにより構成されている。そして、プロテクター本体は、先端部を下方に変形させることによって、この下方に変形させた先端部によって商品掛け具の先端をカバー可能とした本体部と、この本体部の基端側に形成した取付部とを有しており、全体を柔軟な素材により一体形成している。
【００１９】
また、取付部は、商品掛け具における支持棒が嵌入可能な嵌入凹部と、この嵌入凹部の底部に形成した取付孔とを有しており、取付部における嵌入凹部の底部分に滑り止め具が装着されることとしている。
【００２０】
即ち、滑り止め具は、支持棒の下側部分を支持する支持片と、この支持片の下側に突設した嵌入突起とを有しており、この嵌入突起を、取付部における嵌入凹部の底部に形成した取付孔に嵌入させることにより、取付部における嵌入凹部の底部分に滑り止め具が装着される。
【００２１】
そして、滑り止め具は、前記プロテクター本体とは異なった素材により形成しており、これにより、プロテクターを支持棒に取り付けた際には、摩擦係数の異なった２種類の素材を支持棒に当接可能としている。
【００２２】
ここで、滑り止め部における支持片は、支持棒の下側において、支持棒の外径の１／３程度を支持可能にするとよく、これにより、支持棒に対するプロテクターの回転をより効果的に阻止することができる。
【００２３】
そしてこのとき、前記プロテクター本体をポリプロピレンにより形成するとともに、前記滑り止め具を、エチレン−酢酸ビニル共重合体樹脂又は塩ビのいずれかにより形成するとよく、これにより更に、支持棒に対するプロテクターの回転をより効果的に阻止することができる。
【実施例１】
【００２４】
本考案の商品掛け具用プロテクターの実施例（以下単に「プロテクター」という。）の実施例について図面を参照して説明すると、図１は、本実施例のプロテクターの分解斜視図であり、また、図３（ａ）は図１におけるＡ−Ａ線断面図、図３（ｂ）は図１におけるＢ−Ｂ線断面図であり、図において１が本実施例のプロテクターである。
【００２５】
そして、本実施例のプロテクター１は、前述した商品掛け具３１の支持棒３４に取り付けられるプロテクター本体２と、このプロテクター本体２に装着される滑り止め具３とにより構成されており、滑り止め具２を装着した状態でプロテクター本体２を支持棒３４に取り付けて使用される。
【００２６】
ここで、前記プロテクター本体２について説明すると、本実施例においてプロテクター本体２は、全体をポリプロピレンにより一体形成しており、長尺の平板状部材により構成される本体部４を備えている。そして、この本体部４の先端部分４０１を下方側へ湾曲させ、この下方側へ湾曲させた先端部分４０１により、商品掛け棒３３の先端部をカバー可能としている。
【００２７】
また、前記本体部４の基端側には取付部５が備えられており、本実施例においてこの取付部５は、全体をブロック状としており、本体部４の基端側において、本体部４の上面側に突設するようにして連設されている。
【００２８】
そして、取付部４には、上方側及び前後側が開放された嵌入凹部５０１が形成されており、この嵌入凹部５０１内に支持棒３４が嵌入する配置で取付部４を支持棒３４に嵌め込むことにより、プロテクター本体２を支持棒３４に取り付けることを可能としている。
【００２９】
ここで、図２は、前記プロテクター本体２の平面図であり、本実施例において前記嵌入凹部５０１の底部には、プロテクター本体２の長手方向に沿った嵌合溝５０２が形成されている。更に、この嵌合溝５０２の底部において、嵌合溝５０２の長手方向寸法の中央部分には取付孔５０３が形成されており、嵌合溝５０２及び取付孔５０３を介して、取付部５における嵌入凹部５０１の底部分に、前記滑り止め具３を装着可能としている。
【００３０】
即ち、図１において、滑り止め具３は、支持棒の下側部分に当接して支持棒を支持する支持片３０１を有しており、本実施例においてこの支持片３０１は、支持棒の下側において、支持棒の外径の約１／３を支持可能な寸法としている。
【００３１】
そして、この支持片３０１の下側には、前記嵌合溝５０２に嵌合可能な突起部３０２が連設されており、更にこの突起部３０２の下側には、突起部３０２を前記嵌合溝５０２に嵌合させた際に前記取付孔５０３に対応する箇所において、ピン状とした嵌入突起３０３を連設しており、全体を、前記プロテクター本体２の素材とは異なるエチレン−酢酸ビニル共重合樹脂により、一体形成している。
【００３２】
そして、この構成により、図３において矢印で示すような配置で滑り止め具３を嵌入凹部５０１内に入れて、滑り止め具３の突起部３０２を取付部５の嵌合溝５０２に嵌合させつつ、滑り止め具３の嵌入突起３０３を取付部５の取付孔５０３に嵌入させることで、取付部３における嵌入凹部５０１内に滑り止め具３を装着可能としている。
【００３３】
次に、このように構成される本実施例のプロテクター１の作用について説明すると、本実施例のプロテクター１を使用する場合には、前述したようにして取付部５に滑り止め具３を装着した状態で、図５に示されるような商品掛け具３１の支持棒３４が取付部５の嵌入凹部５０１内に嵌入されるようにして、本実施例のプロテクター１を支持棒３４に取り付ける。この状態における取付部５及び支持棒３４を支持棒３４の長手方向に向いて示した断面図が図４である。
【００３４】
そうすると、図４に示されるように、支持棒３４は、下側において外径の１／３程度がエチレン−酢酸ビニル共重合樹脂製の支持片３０１に当接し、両側はポリプロピレン製の嵌入凹部５０１の内壁に当接し、即ち、金属との摩擦係数が異なっている２種類の素材が支持棒３４の外周側と当接することになり、これによって、支持棒３４に対してプロテクター１は容易には回転しなくなる。
【００３５】
このように、本実施例のプロテクター１では、異なった素材により支持棒を同時に支持可能とし、それにより、プロテクター１が容易には回転しないようにしているために、プロテクターに外力が加わった場合でも、プロテクターが回転して商品掛け棒の先端のカバーが外れてしまうことを有効に防止し、商品掛け棒との衝突等による事故を防止することが可能である。
【００３６】
なお、前述の実施例では、プロテクター本体２をポリプロピレン製とし、滑り止め具３をエチレン−酢酸ビニル共重合樹脂製としたが、必ずしもこのようにする必要はなく、プロテクター本体と滑り止め具とを摩擦係数の異なる素材により構成してあればいずれの素材を用いてもよく、たとえば、滑り止め具３を塩ビ製としてもよい。
【００３７】
また、前述の実施例では、取付部５における嵌入凹部５０１内に嵌合溝５０２を形成し、一方、滑り止め具３には嵌合溝５０２に嵌合する突起部３０２を形成した場合を説明したが、この嵌合溝５０２及び突起部３０２は必ずしも必要なものではなく、嵌入凹部５０１内に取付孔５０３のみを形成し、滑り止め具３においては支持片３０１の下側に嵌入突起３０３を直接連設してもよい。
【産業上の利用可能性】
【００３８】
本考案の商品掛け具用プロテクターは、商品掛け具における商品掛け棒の先端をカバー可能なプロテクターにおいて、摩擦係数の異なる２種類の素材を支持棒に当接することとしてプロテクターの回転を防止可能としているために、回転を防止する必要がある商品掛け具用プロテクターの全般に適用可能である。
【図面の簡単な説明】
【００３９】
【図１】本考案のプロテクターの実施例の分解斜視図である。
【図２】本考案のプロテクターの実施例を構成するプロテクター本体の平面図である。
【図３】図１におけるＡ−Ａ線断面図及びＢ−Ｂ線断面図である。
【図４】本考案のプロテクターの実施例を支持棒に取り付けた状態を示す断面図である。
【図５】商品掛け具を説明するための斜視図である。
【図６】従来のプロテクターを説明するための図である。
【符号の説明】
【００４０】
１    プロテクター
２    プロテクター本体
３    滑り止め具
３０１    支持片
３０２    突起部
３０３    嵌入突起
４    プロテクター本体の本体部
４    本体部の先端部分
５    取付部
５０１    嵌入凹部
５０２    嵌合溝
５０３    取付孔
【図１】
0003111447.tif 000003
【図２】
0003111447.tif 000004
【図３】
0003111447.tif 000005
【図４】
0003111447.tif 000006
【図５】
0003111447.tif 000007
【図６】
0003111447.tif 000008